(57)【要約】      （修正有）【課題】情報の機密性の低下を抑制しつつ、人物情報及び文書情報の共有化を促進できる人物検索装置を提供する。【解決手段】人物検索装置は、処理部を含む。処理部は、文字列の入力を受け付けると、文字列に対応する人物情報を表示可能である。処理部は、前記文字列を入力したユーザの権限に応じて取得した人物情報の開示範囲を確認して、人物情報の少なくとも一部を伏せる。【選択図】図２
2019168738.tif 000002
【特許請求の範囲】
【請求項１】
文字列の入力を受け付けると、前記文字列に対応する人物情報を表示可能な処理部であって、前記文字列を入力したユーザの権限に応じて、前記人物情報の少なくとも一部を伏せる、前記処理部を備えた人物検索装置。
【請求項２】
前記処理部は、前記権限に応じて、前記人物情報の前記少なくとも一部をマスキングして表示させる請求項１記載の人物検索装置。
【請求項３】
前記処理部は、前記権限に応じて、前記人物情報の前記少なくとも一部を表示させない請求項１記載の人物検索装置。
【請求項４】
前記人物情報は、人物の氏名、前記人物の所属、前記人物への連絡先、及び前記人物の専門分野からなる群より選択される少なくとも１つを含み、
前記処理部は、前記ユーザが第１権限を有する場合、前記人物情報の一部を表示させ、前記人物情報野別の一部を伏せる請求項１〜３のいずれか１つに記載の人物検索装置。
【請求項５】
文字列の入力を受け付けると、前記文字列に対応する人物情報及び文書情報を表示可能な処理部であって、前記文字列を入力したユーザの権限に応じて、前記人物情報の少なくとも一部又は前記文書情報の少なくとも一部を伏せる、前記処理部を備えた人物検索装置。
【請求項６】
前記処理部は、前記権限に応じて、前記文書情報の前記少なくとも一部又は前記人物情報の前記少なくとも一部をマスキングして表示させる請求項５記載の人物検索装置。
【請求項７】
前記処理部は、前記権限に応じて、前記文書情報の前記少なくとも一部又は前記人物情報の前記少なくとも一部を表示させない請求項６記載の人物検索装置。
【請求項８】
前記処理部は、前記権限に応じて、前記文書情報に含まれる数値の少なくとも一部を伏せる請求項５〜７のいずれか１つに記載の人物検索装置。
【請求項９】
前記処理部は、前記権限に応じて、前記文書情報に含まれる用語の少なくとも一部を伏せる請求項５〜８のいずれか１つに記載の人物検索装置。
【請求項１０】
第１権限を有する第１ユーザによる第１文字列の第１入力を受け付けると、前記第１文字列に対応した第１人物に関する第１情報を表示させ、第２権限を有する第２ユーザによる前記第１文字列の第２入力を受け付けると、前記第１人物に関する第２情報を表示させる、処理部を備えた人物検索装置。
【請求項１１】
前記処理部は、前記第２入力を受け付けると、さらに前記第１情報を表示させる請求項１０記載の人物検索装置。
【請求項１２】
複数の文書を記憶した第１記憶部から、第１文書を取得し、
前記第１文書から、第１人物に関する情報と、用語と、を抽出し、
前記第１文書が参照された記録と、前記第１文書を参照したユーザが検索に用いた文字列と、を第２記憶部から取得し、
前記記録及び前記文字列を用いて、前記第１人物について前記用語の重みを決定し、
前記第１人物に関する前記情報と、前記用語と、前記重みと、を対応付けて第３記憶部に記憶する、
処理部を備えた人物検索装置。
【発明の詳細な説明】
【技術分野】
【０００１】
本発明の実施形態は、人物検索装置に関する。
【背景技術】
【０００２】
人物情報をまとめたデータベースから人物情報を検索する人物検索装置がある。人物検索装置については、情報の機密性の低下を抑制しつつ、人物情報及び文書情報の共有化を促進できることが望ましい。
【先行技術文献】
【特許文献】
【０００３】
【特許文献１】特開２０１３−１０９５１６号公報
【発明の概要】
【発明が解決しようとする課題】
【０００４】
本発明の実施形態は、情報の機密性の低下を抑制しつつ、人物情報及び文書情報の共有化を促進できる人物検索装置を提供する。
【課題を解決するための手段】
【０００５】
実施形態に係る人物検索装置は、処理部を含む。前記処理部は、文字列の入力を受け付けると、前記文字列に対応する人物情報を表示可能である。前記処理部は、前記文字列を入力したユーザの権限に応じて、前記人物情報の少なくとも一部を伏せる。
【図面の簡単な説明】
【０００６】
【図１】図１は、第１実施形態に係る人物検索装置の構成を例示するブロック図である。
【図２】図２は、第１実施形態に係る人物検索装置の動作を例示するフローチャートである。
【図３】図３は、第１実施形態に係る別の人物検索装置の構成を例示するブロック図である。
【図４】図４は、第１実施形態に係る別の人物検索装置の動作を例示するフローチャートである。
【図５】図５は、第１実施形態に係る別の人物検索装置による表示画面を例示する模式図である。
【図６】図６は、第１実施形態に係る別の人物検索装置による表示画面を例示する模式図である。
【図７】図７は、第１実施形態に係る別の人物検索装置による表示画面を例示する模式図である。
【図８】第２実施形態に係る人物検索装置の構成を例示する模式図である。
【図９】第２実施形態に係る人物検索装置の動作を例示するフローチャートである。
【図１０】図１０は、文書を例示する模式図である。
【図１１】図１１は、文書を例示する模式図である。
【図１２】図１２（ａ）〜図１２（ｃ）は、重みの算出に用いられる情報を例示する模式図である。
【図１３】図１３は、実施形態に係る人物検索装置を実現するハードウェアを例示する模式図である。
【発明を実施するための形態】
【０００７】
以下に、本発明の各実施形態について図面を参照しつつ説明する。
本願明細書と各図において、既に説明したものと同様の要素には同一の符号を付して詳細な説明は適宜省略する。
【０００８】
（第１実施形態）
図１は、第１実施形態に係る人物検索装置の構成を例示するブロック図である。
図１に表したように、第１実施形態に係る人物検索装置１１０は、第１処理部１０を含む。この例では、人物検索装置１１０は、入力部３０、表示部４０、記憶部５１及び記憶部５２をさらに含む。
【０００９】
ユーザは、入力部３０を用いて、検索に用いる文字列を第１処理部１０に入力する。記憶部５１は、ある組織に所属する複数の人物に関する複数の人物情報を記憶する。記憶部５２は、各ユーザの権限に関する情報と、権限ごとの人物情報の開示範囲と、を記憶する。
【００１０】
第１処理部１０は、文字列の入力を受け付けると、記憶部５１及び記憶部５２を参照する。第１処理部１０は、文字列に対応する人物情報を記憶部５１から取得する。さらに、第１処理部１０は、文字列を入力したユーザの権限に基づき、表示する人物情報の範囲を決定する。この結果、ユーザの権限に応じて、人物情報の少なくとも一部を伏せて、文字列に基づく検索結果を表示させる。
【００１１】
例えば、ある組織内で人物に関する情報共有を促進するために、人物情報をまとめたデータベースを構築する場合がある。このようなデータベースでは、人物情報として、その人物の氏名、専門分野、所属、連絡先（電話番号やメールアドレス等）などが記憶される。例えば、ある特定の技術について詳細を知りたい場合に、このデータベースを用いて、その技術分野の専門知識を有する人物（専門家）を検索する。専門知識を有する人物が見つかった場合は、その人物に連絡し、相談したり教えてもらったりできる。
【００１２】
一方で、同じ組織内でも、情報の機密性の観点から、人物情報の全てを検索結果で表示することが望ましくない場合もある。例えば、第１人物は、ある顧客から受注した、ある技術分野に関する第１製品を担当している。第２人物は、別の顧客から受注した、同じ技術分野の第２製品を担当している。第２人物が、上記技術分野について検索した際に、第１人物に関する人物情報が第２人物に対して全て表示されることは、望ましくない場合がある。例えば、第１人物について表示された専門分野から、第１人物が、第１製品に関してどのような仕事に従事しているか推測出来てしまう場合がある。
このため、情報の機密性の低下を抑制しつつ、人物情報の供給を促進できる技術の開発が望まれていた。
【００１３】
そこで、本実施形態に係る人物検索装置１１０では、第１処理部１０は、文字列が入力されると、文字列に対応する人物情報を表示する際に、ユーザの権限に応じて、人物情報の少なくとも一部を伏せる。人物情報は、例えば、人物の氏名、人物の所属、人物への連絡先、及び人物の専門分野からなる群より選択される少なくとも１つを含む。
【００１４】
例えば、第１権限を有する第１ユーザと、第２権限を有する第２ユーザと、がいる。第２権限は、第１権限よりも広い。この場合、第１処理部１０は、第１ユーザによる第１文字列の第１入力を受け付けると、この第１文字列に対応した第１人物に関する第１情報を表示させる。第１処理部１０は、第２ユーザによる第１文字列の第２入力を受け付けると、第１人物に関する第１情報及び第２情報を表示させる。すなわち、第１処理部１０は、第１ユーザが検索した場合は、第１情報しか表示させない。第１処理部１０は、第２ユーザが検索した場合には、第１情報に加えて第２情報を表示させる。
【００１５】
又は、第１権限は、第２権限と異なっていても良い。この場合、第１処理部１０は、第１入力を受け付けると、第１情報を表示させる。第１処理部１０は、第２入力を受け付けると、第２情報を表示させる。すなわち、第１処理部１０は、第１ユーザが検索した場合と、第２ユーザが検索した場合と、で表示させる情報を異ならせる。
【００１６】
この人物検索装置１１０によれば、情報の機密性の低下を抑制しつつ、人物情報の共有化を促進できる。
【００１７】
より望ましくは、第１処理部１０は、複数の人物に関する人物情報を表示する。例えば、ある文字列を入力して人物情報が表示された場合でも、その人物が既にその組織に所属していない可能性もある。複数の人物情報が表示されることで、このような場合に、知りたい知識を有しうる別の人を探し出すことができる。
【００１８】
図２は、第１実施形態に係る人物検索装置の動作を例示するフローチャートである。
第１処理部１０は、例えば、図１に表したように、受付部１１及び検索部１２を含む。受付部１１は、文字列の入力を受け付ける（ステップＳ１）。検索部１２は、記憶部５１を参照し、文字列に基づいて、人物情報を検索する（ステップＳ２）。検索部１２は、記憶部５１から、文字列に対応する人物情報を取得する（ステップＳ３）。
【００１９】
検索部１２は、記憶部５２を参照する。例えば、記憶部５２は、ユーザがある組織のシステムにログインする際のログイン情報と、権限と、を対応付けて記憶している。権限は、例えば、ユーザの、階級、役職、所属、担当業務、担当顧客、専門分野、及び経歴などの少なくともいずれかに基づいて設定される。検索部１２は、ユーザの権限に対応する人物情報の開示範囲を確認する（ステップＳ４）。検索部１２は、その開示範囲に応じた人物情報を表示部４０に表示させる（ステップＳ５）。
【００２０】
図３は、第１実施形態に係る別の人物検索装置の構成を例示するブロック図である。
図３に表した人物検索装置１２０では、第１処理部１０は、さらに記憶部５３を適宜参照する。
【００２１】
記憶部５３は、複数の文書を記憶する。これらの文書は、例えば、組織内での情報共有を促進するために作成されたものである。記憶部５３は、例えば、不適合事例、参考事例、議事録、設計仕様書などを記憶する。
【００２２】
例えば、不適合事例は、ある製品について不適切な設計が存在し、問題となった場合に作成される。不適合事例は、問題と、その原因と、その対策と、を含む。参考事例は、ある製品、技術等について、効果的な設計、課題の解決策などを含む。議事録は、ある技術又は製品に関する打ち合わせ又は検討会における参加者の発言をまとめた記録である。設計使用者は、ある製品又は部品に関する設計の詳細な内容をまとめた記録である。
【００２３】
人物検索装置１２０によれば、人物情報とともに、文書情報を検索できる。これにより、例えば、ある技術に関する知見が欲しいときに、その技術を知る可能性のある人物を調べ、且つその技術に関する文書を調べることができる。また、検索部１２は、文書情報についても、人物情報と同様に、ユーザの権限に応じて、文書情報の少なくとも一部を伏せる。
従って、人物検索装置１２０によれば、情報の機密性の低下を抑制しつつ、人物情報及び文書情報の共有化を促進できる。
【００２４】
図４は、第１実施形態に係る別の人物検索装置の動作を例示するフローチャートである。
図４に表したように、受付部１１が文字列の入力を受け付けると（ステップＳ１１）、検索部１２は、記憶部５１及び記憶部５３を参照する。検索部１２は、文字列に基づいて人物情報を検索し（ステップＳ１２）、記憶部５１から、文字列に対応する人物情報を取得する（ステップＳ１３）。
【００２５】
検索部１２は、文字列に基づいて文書情報を検索し（ステップＳ１４）、記憶部５３から、文字列に対応する文書情報を取得する（ステップＳ１５）。検索部１２は、記憶部５２を参照し、ユーザの権限に対応する人物情報及び文書情報の開示範囲を確認し（ステップＳ１６）、その開示範囲に応じた人物情報及び文書情報を表示させる（ステップＳ１７）。
【００２６】
図５〜図７は、第１実施形態に係る別の人物検索装置による表示画面を例示する模式図である。
図５に表した画面８０において、ユーザは、入力領域８１に文字列を入力する。ユーザが、アイコン８２をクリックすると、第１処理部１０は、文字列の入力を受け付け、人物情報及び文書情報を検索する。
【００２７】
表示領域８３には、文字列に対応する人物情報が表示され、表示領域８４には、文字列に対応する文書情報が表示される。図５の例では、第１処理部１０は、文字列に関する知識を有しうる人物に関する人物情報として、その人物の氏名、所属、及び電話番号を表示する。また、第１処理部１０は、例えば、表示領域８３中の領域８３ａに、その人物の氏名が含まれていた文書の数を表示させる。
【００２８】
第１処理部１０は、ユーザの権限に応じて、人物情報の少なくとも一部及び文書情報の少なくとも一部を伏せる。図５の例では、人物情報の一部及び文書情報の一部がマスキングされている。
【００２９】
第１処理部１０は、例えば、表示領域８３において、マスキングＭ１のように人物の氏名及び連絡先を伏せ、所属のみを表示させる。また、第１処理部１０は、例えば、表示領域８４において、マスキングＭ２のように、参照する権限を有していない文書に含まれる数字の少なくとも一部を伏せる。第１処理部１０は、マスキングＭ３のように、文書に含まれる特定の単語や文章を伏せても良い。第１処理部１０は、マスキングＭ４のように、文書内容を全て伏せても良い。
【００３０】
人物情報の少なくとも一部及び文書情報の少なくとも一部がマスキングされて表示されることで、情報の機密性を維持できる。一方、図５に表したように、人物の氏名及び連絡先が伏せられていても、所属が表示されることで、ユーザは、例えばその部署へ、検索した文字列に関する情報を問い合わせることができる。また、ユーザは、ある文書について、マスキングされた部分以外から、そのユーザにとって有用な情報が得られる可能性がある。ユーザが、有用な情報の存在を知ることができる可能性がある。
【００３１】
図６に表したように、表示領域８３には、全ての人物情報を参照できる人物についてのみ、その人物情報が表示されても良い。表示領域８４には、内容の少なくとも一部が伏せられた文書が表示されなくても良い。マスキングされていない情報のみが表示されることで、ユーザが、その権限で参照できる範囲の人物情報及び文書情報を効率的に探すことができる。
【００３２】
又は、第１処理部１０は、ある文書について、伏せられた内容の割合に応じて、表示領域８４におけるその文書の表示と非表示とを切り替えても良い。例えば、第１処理部１０は、文書の情報量の所定割合以上が伏せられる場合、その文書を表示領域８４に表示させない。伏せられた文書の情報量が所定割合未満の場合、その文書情報の一部を伏せて表示領域８４に表示させる。この表示方法によれば、伏せられている量が比較的少ない文書のみを表示させることができ、ユーザが人物情報及び文書情報を効率的に探すことができる。
【００３３】
又は、画面８０において、図５に表したようにマスキングされた文書を表示させる状態と、図６に表したように参照できる文書だけを表示させる状態と、を切り替えるためのアイコン８６が設けられても良い。
【００３４】
記憶部５１に記憶された文書が、所定の形式に従って作成されている場合、第１処理部１０は、ユーザの権限に応じて、文書に含まれる特定の項目の少なくとも一部を伏せても良い。
【００３５】
画面８０には、検索する対象の文書を選択するための１つ以上のタグ８７が表示されても良い。ユーザがタグ８７の１つを選択すると、第１処理部１０は、そのタグ８７に対応する文書から、文字列に基づいて文書情報を検索する。
【００３６】
ユーザは、例えば、画面８０において、表示領域８４に表示された文書のタイトルをクリックすることで、その文書の詳細を参照できる。第１処理部１０は、文書の詳細を表示させる際に、内容の少なくとも一部を伏せても良い。又は、第１処理部１０は、その文書の少なくとも一部が伏せられている場合、ユーザによる操作を無効にし、文書の詳細を表示させなくても良い。
【００３７】
図７は、より広い権限を有するユーザが、図５及び図６と同じ文字列を検索した場合の結果を例示する。例えば図７に表したように、第１処理部１０は、表示領域８３及び８４において、人物情報及び文書情報を伏せずに表示する。
【００３８】
図８は、第２実施形態に係る人物検索装置の構成を例示する模式図である。
図９は、第２実施形態に係る人物検索装置の動作を例示するフローチャートである。
人物検索装置２１０は、図８に表したように、第２処理部２０をさらに含む。第２処理部２０は、検索結果でより適切な人物情報を表示させるための処理を行う。
【００３９】
第１処理部１０は、第３取得部１３及び第４取得部１４をさらに含む。第２処理部２０は、第１取得部２１、第２取得部２２、及び算出部２３を含む。また、図８に表した例では、人物検索装置２１０は、記憶部５４をさらに含む。
【００４０】
第３取得部１３は、検索部１２による検索が行われた際に、検索情報（例えば、検索に用いられた文字列）を取得し、記憶部５４に記憶する。第４取得部１４は、検索部１２による検索結果が表示された後、ユーザによる文書の参照に関するログを取得する。第４取得部１４は、取得したログを記憶部５４に記憶する。ログは、例えば、文書が参照されたことを示す情報及び文書内容を表示している時間の少なくともいずれかを含む。
【００４１】
人物検索装置２１０は、例えば、図９のフローチャートに表した動作を実行する。図９のフローチャートの動作は、ユーザによる検索が実行されていない間に、実行される。
【００４２】
第２処理部２０の第１取得部２１及び第２取得部２２は、記憶部５３（第１記憶部）から文書を取得する（ステップＳ２１）。第１取得部２１は、取得した文書から人物名を抽出する（ステップＳ２２）。第１取得部２１は、人物に関する他の情報を抽出しても良い。例えば、第１取得部２１は、取得した文書から、所属及び連絡先の少なくともいずれかを抽出する。
【００４３】
第２取得部２２は、取得した文書から用語を抽出する（ステップＳ２３）。用語の抽出には、例えば、固有表現抽出法が用いられる。抽出される用語は、例えば、技術用語、機器又は部品の名称などである。取得した文書に重要度又は緊急度に関する情報が含まれている場合、第２取得部２２は、その属性も抽出する（ステップＳ２４）。
【００４４】
算出部２３は、記憶部５４（第２記憶部）から、検索履歴及びログを抽出する（ステップＳ２５）。算出部２３は、第１取得部２１により抽出された人物名と、第２取得部２２により抽出された用語と、を対応付けて、記憶部５１（第３記憶部）に記憶する（ステップＳ２６）。
【００４５】
算出部２３は、さらに、抽出された人物に関する用語を重み付けする（ステップＳ２７）。算出部２３は、付与した重みを記憶部５４に記憶する（ステップＳ２８）。例えば、第１人物の名前と、第１用語と、を含む第１文書がある。この場合、算出部２３は、第１人物と第１用語を対応付ける。また、第１人物について第１用語の重み付けを行う。
【００４６】
例えば、第１文書が、その文書の重要性を示す情報を含む場合、算出部２３は、その情報の属性に応じて、第１人物について第１用語の重みを変化させても良い。例えば、第１文書の重要度が高ければ、第１人物について第１用語の重みをより大きくする。
第１文書の新しさを示す情報が記憶されている場合、算出部２３は、第１文書が新しいほど、第１人物について第１用語の重みをより大きくする。新しさを示す情報は、例えば、第１文書の登録日、記入日、承認日、第１文書に含まれる日付などである。
算出部２３は、第１文書の参照数が多いほど、第１人物の第１用語の重みを大きくしても良い。また、算出部２３は、第１文書の参照数が最近の比較的短い期間に大きく増加していた場合、第１人物について第１用語の重みをより大きくしても良い。
【００４７】
また、記憶部５３に記憶された文書に、参照したユーザがフィードバックできる機能があっても良い。例えば、ユーザは、参照した文書が、役に立ったか、役に立たなかったか、を当該文書に対してフィードバックできる。算出部２３は、第１文書が多くのユーザから役に立つと評価されているほど、第１人物について第１用語の重みをより大きくしても良い。
【００４８】
算出部２３は、人物名、用語、重みを対応付けて、人物情報の少なくとも一部として記憶部５１へ記憶する。第２処理部２０は、例えば、記憶部５３に記憶された全ての文書に対して上記動作を実行する。
【００４９】
また、第１用語は、例えば、第１分野に属する用語である。例えば、第１人物と、第１分野に属する複数の用語と、が対応付けられている場合、複数の用語の重みを合計することで、第１人物の第１分野についての「専門家度」が得られる。算出部２３は、人物名、用語、重みに加えて、その人物の「専門家度」を対応付けて、記憶部５３に記憶しても良い。
【００５０】
図１０及び図１１は、文書を例示する模式図である。
図１０に表した文書９０ａには、重要性を示すランク９１ａ、複数の人物名９２ａ〜９４ａ、複数の用語９５ａ〜９７ａが含まれている。図１１に表した文書９０ｂには、重要性を示すランク９１ｂ、複数の人物名９２ｂ〜９４ｂ、複数の用語９５ｂ〜９７ｂが含まれている。算出部２３は、これらの情報を文書から抽出する。
【００５１】
図１２（ａ）〜図１２（ｃ）は、重みの算出に用いられる情報を例示する模式図である。
図１２（ａ）は、図１０に表した文書９０ａから、第１取得部２１及び第２取得部２２により取得された、人物名と用語とを例示する。図１２（ｂ）は、第３取得部１３により取得された、検索情報を例示する。図１２（ｃ）は、算出部２３から記憶部５４へ記憶される情報を例示する。算出部２３は、図１２（ａ）及び図１２（ｂ）に表した情報を用いて、例えば図１２（ｃ）に表したように、人物名と、用語と、重みと、を対応付けて記憶する。
【００５２】
上述したように、人物検索装置２１０では、第２処理部２０により記憶部５３から文書が取得され、取得した文書に基づき、人物に関する情報（例えば人物名）と、用語と、重みと、が対応付けて人物情報として記憶部５４に記憶される。このような処理が実行されることで、記憶部５３に記憶された文書に基づき、人物情報が自動で更新されていく。これにより、ユーザが人物情報を更新する必要が無くなる。
また、第２処理部２０は、取得した文書の様式などに依らず、上記人物情報を抽出できる。従って、人物検索装置２１０によれば、互いに異なる様式の複数の文書が記憶部５３に記憶されている場合でも、人物情報を更新できる。
【００５３】
図１３は、実施形態に係る人物検索装置を実現するハードウェアを例示する模式図である。
上述した実施形態に係る人物検索装置１１０は、ＣＰＵ（Central  Processing  Unit）１１１と、入力装置１１２と、出力装置１１３と、ＲＯＭ（Read  Only  Memory）１１４と、ＲＡＭ（Random  Access  Memory）１１５と、記憶装置１１６と、通信装置１１７と、バス１１８とを含む。人物検索装置１２０及び２１０も、例えば、図１３と同様の構成を有する。各部は、バス１１８により接続される。
【００５４】
ＣＰＵ１１１は、ＲＯＭ１１４または記憶装置１１６に予め記憶された各種プログラムと協働して各種処理を実行し、人物検索装置１１０を構成する各部の動作を統括的に制御する。ＣＰＵ１１１は、処理において、ＲＡＭ１１５の所定領域を作業領域として用いる。ＣＰＵ１１１は、ＲＯＭ１１４または記憶装置１１６に予め記憶されたプログラムと協働して、入力装置１１２、出力装置１１３、及び通信装置１１７等を実現させる。
【００５５】
入力装置１１２は、例えば、キーボード、マウス、及びタッチパネルの少なくともいずれかを含む。入力装置１１２は、ユーザから入力された情報を指示信号として受け付け、その指示信号をＣＰＵ１１１に出力する。出力装置１１３は、例えばモニタである。出力装置１１３は、ＣＰＵ１１１から出力された信号に基づいて、各種情報を視認可能に出力する。
【００５６】
ＲＯＭ１１４は、人物検索装置１１０の制御に用いられるプログラムおよび各種設定情報等を書き換え不可能に記憶する。ＲＡＭ１１５は、ＳＤＲＡＭ（Synchronous  Dynamic  Random  Access  Memory）等の揮発性の記憶媒体である。ＲＡＭ１１５は、ＣＰＵ１１１の作業領域として機能する。具体的には、人物検索装置１１０が用いる各種変数およびパラメータ等を一時記憶するバッファ等として機能する。
【００５７】
記憶装置１１６は、フラッシュメモリ等の半導体による記憶媒体、磁気的または光学的に記録可能な記憶媒体等の書き換え可能な記録装置である。記憶装置１１６は、人物検索装置１１０の制御に用いられるプログラムおよび各種設定情報等を記憶する。記憶装置１１６は、例えば、記憶部５１及び５２として機能する。記憶装置１１６は、さらに、記憶部５３及び５４として機能しても良い。通信装置１１７は、外部の機器と通信して情報の送受信を行うために用いられる。
【００５８】
以上で説明した各実施形態によれば、情報の機密性の低下を抑制しつつ、人物情報及び文書情報の共有化を促進できる人物検索装置を提供できる。
【００５９】
以上、具体例を参照しつつ、本発明の実施の形態について説明した。しかし、本発明の実施形態は、これらの具体例に限定されるものではない。例えば、処理部、入力部、表示部、記憶部などの各要素の具体的な構成に関しては、当業者が公知の範囲から適宜選択することにより本発明を同様に実施し、同様の効果を得ることができる限り、本発明の範囲に包含される。
【００６０】
また、各具体例のいずれか２つ以上の要素を技術的に可能な範囲で組み合わせたものも、本発明の要旨を包含する限り本発明の範囲に含まれる。
【００６１】
その他、本発明の実施の形態として上述した人物検索装置を基にして、当業者が適宜設計変更して実施し得る全ての人物検索装置も、本発明の要旨を包含する限り、本発明の範囲に属する。
【００６２】
その他、本発明の思想の範疇において、当業者であれば、各種の変更例及び修正例に想到し得るものであり、それら変更例及び修正例についても本発明の範囲に属するものと了解される。
【００６３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６４】
１０ 第１処理部、  １１ 受付部、  １２ 検索部、  １３ 第３取得部、  １４ 第４取得部、  ２０ 第２処理部、  ２１ 第１取得部、  ２２ 第２取得部、  ２３ 算出部、  ３０ 入力部、  ４０ 表示部、  ５１〜５４ 記憶部、  ８０ 画面、  ８１ 入力領域、  ８２ アイコン、  ８３ 表示領域、  ８３ａ 領域、  ８４ 表示領域、  ８６ アイコン、  ８７ タグ、  ９０ａ、９０ｂ 文書、  ９１ａ、９１ｂ ランク、  ９２ａ〜９４ａ、９２ｂ〜９４ｂ 人物名、  ９５ａ〜９７ａ、９５ｂ〜９８ｂ 用語、  １１０、１２０、２１０ 人物検索装置、  １１１ ＣＰＵ、  １１２ 入力装置、  １１３ 出力装置、  １１４ ＲＯＭ、  １１５ ＲＡＭ、  １１６ 記憶装置、  １１７ 通信装置、  １１８ バス、  Ｍ１〜Ｍ４ マスキング、  Ｓ１〜Ｓ５、Ｓ１１〜Ｓ１７、Ｓ２１〜Ｓ２８ ステップ
【図１】
2019168738.tif 000003
【図２】
2019168738.tif 000004
【図３】
2019168738.tif 000005
【図４】
2019168738.tif 000006
【図５】
2019168738.tif 000007
【図６】
2019168738.tif 000008
【図７】
2019168738.tif 000009
【図８】
2019168738.tif 000010
【図９】
2019168738.tif 000011
【図１０】
2019168738.tif 000012
【図１１】
2019168738.tif 000013
【図１２】
2019168738.tif 000014
【図１３】
2019168738.tif 000015